(57)【要約】【課題】  コネクタプラグを別タイプのアダプタにも着脱自在に嵌合させることを可能にするコネクタ結合補助部材及び光コネクタを提供する。【解決手段】  コネクタプラグ２は、光ファイバ５を保持するフェルール３と、光ファイバ５と光ファイバ１２とを機械的に接続するメカニカルスプライス４と、フェルール３及びメカニカルスプライス４を収容する主コネクタハウジング１６とを有している。主コネクタハウジング１６の上面部には、コネクタプラグ２を正規のアダプタに対してラッチするためのラッチ部２６が設けられている。コネクタ結合補助部材４１は、コネクタプラグ２を収容すると共に、コネクタプラグ２を正規のアダプタとは構造の異なる別タイプのアダプタに着脱自在に嵌合させるハウジング４２を有し、このハウジング４２の両側面には、コネクタプラグ２の係止受け用溝部２１を露出させる窓部４４が設けられている。【選択図】  図８
2005140989.tif 000002
【特許請求の範囲】
【請求項１】
所定のアダプタと嵌合し、当該アダプタに対してラッチするためのラッチ部を有するコネクタプラグを収容すると共に、前記所定のアダプタとは構造の異なる他のアダプタに着脱自在であり、前記コネクタプラグを前記他のアダプタに嵌合させるハウジングと、
前記ハウジングに収容された前記コネクタプラグを前記他のアダプタに嵌合させたときに、前記コネクタプラグまたは前記ハウジングを前記他のアダプタに係止するための係止手段とを備えることを特徴とするコネクタ結合補助部材。
【請求項２】
前記ハウジングは、前記ラッチ部を収容するためのスペースを形成する段状部を有することを特徴とする請求項１記載のコネクタ結合補助部材。
【請求項３】
前記係止手段は、前記ハウジングに形成され、前記ハウジングに収容された前記コネクタプラグの係止部を露出させる窓部を有することを特徴とする請求項１または２記載のコネクタ結合補助部材。
【請求項４】
所定のアダプタと嵌合し、当該アダプタに対してラッチするためのラッチ部を有するコネクタプラグと、
請求項１〜３のいずれか一項記載のコネクタ結合補助部材とを備えたことを特徴とする光コネクタ。
【請求項５】
前記コネクタプラグは、光ファイバを保持するフェルールと、前記フェルールに固定され、前記光ファイバと他の光ファイバとを機械的に接続するメカニカルスプライスとを有することを特徴とする請求項４記載の光コネクタ。
【請求項６】
前記コネクタプラグは、光ファイバを保持するフェルールと、前記フェルールを収容するコネクタハウジングと、前記コネクタハウジングに光ケーブルを固定するケーブル固定部材とを有し、前記ケーブル固定部材により固定された前記光ケーブルが前記フェルールに連動して動くように構成されていることを特徴とする請求項４記載の光コネクタ。
【請求項７】
前記コネクタプラグは、光ファイバを保持するフェルールと、前記フェルールを収容するコネクタハウジングと、前記コネクタハウジングに光ケーブルを固定するケーブル固定部材とを有し、前記フェルールが後退したときに、前記光ケーブルの外皮から露出した光ファイバが撓むように構成されていることを特徴とする請求項４記載の光コネクタ。
【発明の詳細な説明】
【技術分野】
【０００１】
本発明は、コネクタプラグをアダプタに嵌合させるためのコネクタ結合補助部材及び光コネクタに関するものである。
【背景技術】
【０００２】
アダプタに嵌合されるコネクタプラグとしては、例えば特許文献１に記載されているように、光ファイバを保持するフェルールと、フェルールを収容するハウジングと、アダプタへの挿入時にハウジングをアダプタに係止させる弾性係合片と、弾性係合片の動きをロックするストッパとを備えたものが知られている。
【特許文献１】特開２０００−１４７３２３号公報
【発明の開示】
【発明が解決しようとする課題】
【０００３】
コネクタプラグを現地組立光コネクタとして使用する場合には、コネクタプラグを、これに直接嵌合する正規のアダプタとは構造の異なる別タイプのアダプタに嵌合させる必要が生じることがある。しかし、上記従来技術のように弾性係合片及びストッパといったラッチ機能付きのコネクタプラグでは、別タイプのアダプタ（例えば通常のＳＣコネクタ用アダプタ）に嵌めることはできても、外すことは困難である。
【０００４】
本発明の目的は、コネクタプラグを別タイプのアダプタにも着脱自在に嵌合させることを可能にするコネクタ結合補助部材及び光コネクタを提供することである。
【課題を解決するための手段】
【０００５】
本発明は、所定のアダプタと嵌合し、当該アダプタに対してラッチするためのラッチ部を有するコネクタプラグを収容すると共に、所定のアダプタとは構造の異なる他のアダプタに着脱自在であり、コネクタプラグを他のアダプタに嵌合させるハウジングと、ハウジングに収容されたコネクタプラグを他のアダプタに嵌合させたときに、コネクタプラグまたはハウジングを他のアダプタに係止するための係止手段とを備えることを特徴とするものである。
【０００６】
コネクタプラグを、直接嵌合するアダプタとは構造の異なる別タイプのアダプタに嵌合させるときは、コネクタ結合補助部材のハウジング内にコネクタプラグを収容する。そして、そのハウジングの先端側部分をアダプタに嵌め込み、係止手段によりコネクタプラグまたはハウジングをアダプタに係止する。一方、コネクタプラグをアダプタから外すときは、係止手段によるコネクタプラグまたはハウジングとアダプタとの係止状態を解除して、アダプタからコネクタプラグを引き抜く。このようにコネクタ結合補助部材を使用することにより、コネクタプラグを別タイプのアダプタにも着脱自在に嵌合させることができる。
【０００７】
好ましくは、ハウジングは、ラッチ部を収容するためのスペースを形成する段状部を有する。これにより、コネクタプラグを他のアダプタに嵌合させた状態において、ラッチ部が保護されるようになる。
【０００８】
また、好ましくは、係止手段は、ハウジングに形成され、ハウジングに収容されたコネクタプラグの係止部を露出させる窓部を有する。これにより、コネクタプラグを収容したハウジングが他のアダプタに嵌め込まれたときに、例えば当該アダプタの係止部が窓部からハウジング内に入り込んでコネクタプラグの係止部と係合し、当該アダプタからハウジングが抜け出ることが確実に防止される。
【０００９】
本発明の光コネクタは、所定のアダプタと嵌合し、当該アダプタに対してラッチするためのラッチ部を有するコネクタプラグと、上述したコネクタ結合補助部材とを備えたことを特徴とするものである。
【００１０】
このように上記のコネクタ結合補助部材を設けることにより、上述したように、コネクタプラグを直接嵌合する正規のアダプタとは構造の異なる別タイプのアダプタにも着脱自在に嵌合させることができる。
【００１１】
好ましくは、コネクタプラグは、光ファイバを保持するフェルールと、フェルールに固定され、光ファイバと他の光ファイバとを機械的に接続するメカニカルスプライスとを有する。この場合には、光コネクタの現地組み立てを容易に行うことができる。
【００１２】
また、好ましくは、コネクタプラグは、光ファイバを保持するフェルールと、フェルールを収容するコネクタハウジングと、コネクタハウジングに光ケーブルを固定するケーブル固定部材とを有し、ケーブル固定部材により固定された光ケーブルがフェルールに連動して動くように構成されている。この場合には、コネクタプラグとアダプタとの結合（コネクタ結合）時に、フェルールの後退が生じても、光ケーブルの外皮から露出した光ファイバの撓みが発生することは無い。従って、光ファイバの曲げロスを増大させることなく、コネクタプラグの短尺化を図ることが可能となる。
【００１３】
また、コネクタプラグは、光ファイバを保持するフェルールと、フェルールを収容するコネクタハウジングと、コネクタハウジングに光ケーブルを固定するケーブル固定部材とを有し、フェルールが後退したときに、光ケーブルの外皮から露出した光ファイバが撓むように構成されていても良い。この場合には、光ケーブルの外皮から露出した光ファイバのファイバ長を一定以上とることで、光ファイバの曲げロスを抑えることができる。また、光ケーブルを引っ張っても、フェルールには引張力がかからないので、コネクタプラグとコネクタアダプタとの結合（コネクタ結合）の瞬断を防ぐことができる。
【発明の効果】
【００１４】
本発明によれば、コネクタプラグを、直接嵌合可能なアダプタとは構造の異なる別タイプのアダプタにも着脱自在に嵌合させることができる。従って、低コスト化を図ることが可能となる。
【発明を実施するための最良の形態】
【００１５】
以下、本発明に係わるコネクタ結合補助部材及び光コネクタの好適な実施形態について図面を参照して説明する。
【００１６】
図１は、本発明に係わる光コネクタの一実施形態の一部であるコネクタプラグを示す垂直方向断面図であり、図２は、図１に示すコネクタプラグの水平方向断面図であり、図３は、図１に示すコネクタプラグの裏面図である。
【００１７】
各図において、本実施形態の光コネクタ１は現地組立型単心光コネクタであり、屋外用ケーブル（ドロップケーブル）や屋内用ケーブル（インドアケーブル）等の光ケーブルを接続するものである。
【００１８】
光コネクタ１の一部であるコネクタプラグ２は、抜け防止用のラッチ機能を有するＳＣ−ＲＪ雄型プラグである。コネクタプラグ２は、円柱状のフェルール３と、このフェルール３の後側に配置されたメカニカルスプライス４とを有している。
【００１９】
フェルール３には、予め短尺光ファイバ（裸ファイバ）５が保持されている。この短尺光ファイバ５は、接着剤等でフェルール３に固定されている。フェルール３の前端面（コネクタ結合面）３ａは研磨されている。短尺光ファイバ５の一部は、フェルール３から後方に延出している。
【００２０】
メカニカルスプライス４は、フェルール３の後端面３ｂに固定されたベース部６と、このベース部６上に設けられた押圧部７と、ベース部６と押圧部７とをクランプする２つのクランプ部材８とを有している。
【００２１】
ベース部６上にはファイバ溝９が形成されている。フェルール３からの短尺光ファイバ５の延出部分は、そのファイバ溝９に配置されている。ファイバ溝９には、光ケーブル１０の外皮１１から露出した光ファイバ１２も配置されている。光ファイバ１２の先端側部分は、裸ファイバ１２ａを露出させた状態となっており、その裸ファイバ１２ａの先端面が短尺光ファイバ５の後端面に突き合わされている。
【００２２】
押圧部７は、光ファイバ１２と短尺光ファイバ５とを覆うように配置されている。クランプ部材８は、Ｕ字型の弾性体である。このクランプ部材８によりベース部６と押圧部７とを挟み込むことにより、光ファイバ１２と短尺光ファイバ５とが固定される。
【００２３】
ベース部６及び押圧部７には、ベース部６と押圧部７との間を押し開くためのくさび１３が挿入される２つのスリット１４を形成する溝部１５が設けられている（図３参照）。
【００２４】
このようなメカニカルスプライス４によって光ファイバ１２と短尺光ファイバ５とを機械的に接続することにより、現地での光コネクタの組み立てが容易に行える。
【００２５】
フェルール３及びメカニカルスプライス４は、断面略矩形状の主コネクタハウジング１６内に収容されている。フェルール３の先端部は、主コネクタハウジング１６の前端面１６ａから所定長だけ突出している。主コネクタハウジング１６の下面部には、メカニカルスプライス４の各スリット１４を露出させるための２つの長孔１７が形成されている。主コネクタハウジング１６とメカニカルスプライス４との間には、主コネクタハウジング１６の前側に付勢するバネ１８が配置されている。
【００２６】
主コネクタハウジング１６の両側面には、前突起１９及び後突起２０がそれぞれ設けられている。また、主コネクタハウジング１６の両側面における前突起１９と後突起２０との間には、係止受け用溝部２１がそれぞれ形成されている。
【００２７】
主コネクタハウジング１６の上面部には、主コネクタハウジング１６の後側に延在する係止片２２が固定されている。係止片２２の中央部には爪部２３が設けられ、係止片２２の先端部には押圧部２４が設けられている。また、主コネクタハウジング１６の上面部には、係止片２２の動きを規制するためのストッパ２５が設けられている。ストッパ２５は、主コネクタハウジング１６の前後方向に摺動自在となっている。そして、ストッパ２５の先端に設けられた規制体２５ａが係止片２２の押圧部２４下の空間に入り込むことで、係止片２２がロックされる。なお、係止片２２及びストッパ２５は、コネクタプラグ２を直接嵌合するアダプタ２９（図４及び図５参照）に対してラッチするためのラッチ部２６を構成するものである。
【００２８】
メカニカルスプライス４の後端面には、後コネクタハウジング２７が固定されている。後コネクタハウジング２７内には、光ケーブル１０の先端部が収容されている。この光ケーブル１０は、２つのケーブル固定部材２８によって後コネクタハウジング２７に固定されている。ケーブル固定部材２８は鬼目くさび（図示せず）を有し、この鬼目くさびを光ケーブル１０の外皮１１に食い込ませることで、光ケーブル１０を固定する。
【００２９】
以上のように構成したコネクタプラグ２は、図４及び図５に示すようなアダプタ２９と嵌合可能である。このアダプタ２９は、アダプタ部が一体化されたＳＣ−ＲＪ雌型プラグである。
【００３０】
アダプタ２９は、短尺光ファイバ（裸ファイバ）３０を保持した円柱状のフェルール３１と、このフェルール３１の後側に配置され、短尺光ファイバ３０と光ケーブル３２の光ファイバ３３とを機械的に接続するメカニカルスプライス３４とを有している。メカニカルスプライス３４の構造は、上述したコネクタプラグ２のメカニカルスプライス４とほぼ同等である。
【００３１】
フェルール３１及びメカニカルスプライス３４は、断面略矩形状の主コネクタハウジング３５内に収容されている。主コネクタハウジング３５の前端側部分には、アダプタ部３６が設けられている。アダプタ部３６は、上述したコネクタプラグ２のフェルール３が挿入されるスリーブ３７を有している。また、アダプタ部３６の上面には、上述したコネクタプラグ２の係止片２２の爪部２３と係合する係止孔３８が形成されている。
【００３２】
主コネクタハウジング３５の後端面には、後コネクタハウジング３９が固定されている。後コネクタハウジング３９内には、光ケーブル３２が収容されている。光ケーブル３２は、鬼目くさびを有する２つのケーブル固定部材４０によって後コネクタハウジング３９に固定されている。
【００３３】
このようなアダプタ２９にコネクタプラグ２を結合させるときは、図４及び図５に示すように、コネクタプラグ２の先端側部分をアダプタ２９のアダプタ部３６に挿入して、コネクタプラグ２のフェルール３をスリーブ３７に差し込み、フェルール３及びフェルール３０の前端面同士を突き合わせる。これにより、コネクタプラグ２の光ファイバ１２とアダプタ２９の光ファイバ３３とが接続される。このとき、コネクタプラグ２の係止片２２の爪部２３がアダプタ部３６の係止孔３８に入り込み、コネクタプラグ２とアダプタ２９とが係止状態となる。
【００３４】
一方、アダプタ２９からコネクタプラグ２を取り外すときは、まず係止片２２の押圧部２４を押し込み、爪部２３による係止を解除し、その状態でコネクタプラグ２をアダプタ２９から引き抜く。
【００３５】
以上は、コネクタプラグ２をこれと直接嵌合するアダプタ２９に結合させたものであるが、コネクタプラグ２は、図６及び図７に示すようなコネクタ結合補助部材４１を用いることにより、上記のアダプタ２９とは構造の異なる別タイプのアダプタ４９（図１１及び図１２参照）にも結合させることが可能である。本実施形態の光コネクタ１は、コネクタプラグ２と、コネクタ結合補助部材４１とからなっている。
【００３６】
図６及び図７において、コネクタ結合補助部材４１は、コネクタプラグ２を収容する断面略矩形状のハウジング４２を有している。ハウジング４２は、コネクタプラグ２のラッチ部２６（係止片２２及びストッパ２５）を収容するためのスペースを確保すべく（図８参照）、上面側に段状部４３を有している。
【００３７】
ハウジング４２の両側面には、ハウジング４２内に収容されたコネクタプラグ２の係止受け用溝部２１を露出させる窓部４４がそれぞれ設けられている。また、窓部４４は、コネクタプラグ２の突起１９，２０と係合する突起受け部４５，４６を形成している（図９参照）。
【００３８】
ハウジング４２の両側面部には、ハウジング４２の前端側に対して先細りとなるようなテーパ部４７が上下に設けられている。また、ハウジング４２の両側面部における各テーパ部４７の後方には、ハウジング４２の後端側に対して先細りとなるようなテーパ部４８が窓部４４を挟んで設けられている（図９参照）。
【００３９】
図８〜図１０は、そのようなコネクタ結合補助部材４１にコネクタプラグ２が組み付けられた状態を示したものである。この状態では、コネクタプラグ２がコネクタ結合補助部材４１のハウジング４２の後側に動いても、コネクタプラグ２の後突起２０がコネクタ結合補助部材４１の突起受け部４６に当たるため、コネクタプラグ２がハウジング４２の後端部から抜け出ることはない。また、コネクタプラグ２がハウジング４２の前側に動いても、コネクタプラグ２の前突起１９が突起受け部４５に当たるため、コネクタプラグ２（フェルール３）の前端部がハウジング４２の前端面より必要以上に突出することはない。
【００４０】
このようにコネクタプラグ２をコネクタ結合補助部材４１に組み付けた状態の光コネクタ１は、図１１及び図１２に示すようなアダプタ４９と嵌合可能である。このアダプタ４９は、ＳＣコネクタ用アダプタである。アダプタ４９は、ハウジング５０と、ハウジング５０の内部を２つのプラグ収納領域５１ａ，５１ｂに区画する仕切部５２とを有し、この仕切部５２にはスリーブ５３が結合されている。また、仕切部５２の一側の面には、１対の係止片５４ａ，５４ｂがスリーブ５３を挟んで対向するように結合され、仕切部５２の他側の面には、１対の係止片５５ａ，５５ｂがスリーブ５３を挟んで対向するように結合されている。
【００４１】
ハウジング５０内のプラグ収納領域５１ａには、雄型コネクタプラグ５６が嵌め込まれている。この雄型コネクタプラグ５６は、ＳＣコネクタプラグである。雄型コネクタプラグ５６は、光ファイバ５７を保持したフェルール５８と、このフェルール５８を収容するハウジング５９とを有している。フェルール５８は、スリーブ５３の一方側に差し込まれている。また、ハウジング５９は、アダプタ４９の係止片５４ａ，５４ｂによって係止されている。
【００４２】
このような雄型コネクタプラグ５６の付いたアダプタ４９に光コネクタ１のコネクタプラグ２を嵌め込むときは、図１１及び図１２に示すように、コネクタプラグ２の前端側部分をアダプタ４９のハウジング５０内のプラグ収納領域５１ｂに挿入する。そして、コネクタプラグ２のフェルール３をアダプタ４９のスリーブ５３に差し込み、フェルール３の前端面を雄型コネクタプラグ５６のフェルール５８の前端面に突き当てる。これにより、コネクタプラグ２の光ファイバ５と雄型コネクタプラグ５６の光ファイバ５７とが接続される。
【００４３】
このとき、コネクタ結合補助部材４１の各テーパ部４７によって、１対の係止片５５ａ，５５ｂが外側に押し拡げられながら、フェルール３がスリーブ５３に入っていく。そして、各係止片５５ａ，５５ｂの先端に設けられた爪部６０がコネクタプラグ２の係止受け用溝部２１に入り込み、光コネクタ１（コネクタプラグ２）とアダプタ４９とが係止状態となる。
【００４４】
一方、アダプタ４９から光コネクタ１を取り外すときは、光コネクタ１を引っ張ってアダプタ４９から引き抜く。ここで、光コネクタ１を引っ張ると、コネクタ結合補助部材４１の各テーパ部４８によって、１対の係止片５５ａ，５５ｂが外側に押し拡げられるため、係止片５５ａ，５５ｂによる光コネクタ１の係止状態を容易に解除することができる。
【００４５】
以上のように本実施形態にあっては、コネクタ結合補助部材４１を使用することで、コネクタプラグ２を、直接嵌合する正規のアダプタ２１とは構造の異なる別タイプのアダプタ４９にも着脱自在に嵌合させることができる。つまり、コネクタプラグ２の構造を変更することなく、部品を一つ追加するだけで、必要とする現地組立用アダプタと結合してインターフェースを合わせることができる。これにより、低コスト化を図ることが可能となる。
【００４６】
また、コネクタ結合補助部材４１のハウジング４２には、コネクタプラグ２のラッチ部２６を収容するためのスペースを形成する段状部４３が設けられているので、ラッチ部２６が保護されるようになる。従って、図１１及び図１２に示すようなコネクタ結合時に、誤ってラッチ部２６を動かすことを防止できる。
【００４７】
さらに、ケーブル固定部材２８によりコネクタプラグ２の後コネクタハウジング２７に光ケーブル１０を固定すると共に、後コネクタハウジング２７とフェルール３とを一体化させたので、フェルール３の動作に連動して光ケーブル１０が動くようになる。従って、コネクタプラグ２とアダプタ４９との結合時に、フェルール３の後退（フェルールバック）が生じても、光ケーブル１０の外皮１１から露出した光ファイバ１２の心線撓みが発生することは無い。これにより、小型化のためにコネクタプラグ２の長手方向の寸法を小さくしても、特に支障は無い。
【００４８】
図１３は、本発明に係わる光コネクタの他の実施形態の一部であるコネクタプラグを示す垂直方向断面図であり、図１４は、図１３に示すコネクタプラグの水平方向断面図である。図中、上述した実施形態と同一または同等の部材には同じ符号を付し、その説明を省略する。
【００４９】
各図において、本実施形態の光コネクタ１の一部であるコネクタプラグ７０は、上述した実施形態における後コネクタハウジング２７に代えて、後コネクタハウジング７１を有している。この後コネクタハウジング７１は、上述した実施形態と異なり、主コネクタハウジング１６の後端部に固定されている。後コネクタハウジング７１内に収容された光ケーブル１０は、ケーブル固定部材２８により後コネクタハウジング７１に固定されている。
【００５０】
このようなコネクタプラグ７０においては、アダプタ４９との結合時にフェルールバックが生じると、図１５に示すように、光ケーブル１０の外皮１１から露出した光ファイバ１２が撓むようになる。このとき、後コネクタハウジング７１が短いと、光ファイバ１２に生じる曲げロスが増大してしまう。このため、後コネクタハウジング７１は、光ファイバ１２が撓んだ時の光ファイバ１２の曲げを小さくするような長さ寸法を有している。例えば、光ファイバ１２の外皮剥ぎ際（外皮１１の先端）から後コネクタハウジング７１の前端側の内壁までの長さＬは、１５ｍｍ以上あるのが望ましい。これにより、フェルールバックによって光ファイバ１２が撓んだ時に発生する光ファイバ１２の曲げロスを確実に抑えることができる。
【００５１】
また、後コネクタハウジング７１はフェルール３に固定されていないので、うっかり光ケーブル１０を引っ張っても、フェルール３に引張力が加わることは無い。従って、コネクタプラグ７０とアダプタ４９との結合の瞬断を防止できる。
【００５２】
なお、本発明は、上記実施形態に限定されるものではない。例えば上記実施形態では、コネクタ結合補助部材４１を用いてコネクタプラグ２；７０をアダプタ４９に嵌合させた状態では、コネクタプラグ２；７０とアダプタ４９とを係止する構成としたが、コネクタ結合補助部材４１とアダプタ４９とを係止する構成としてもよい。
【００５３】
また、上記実施形態では、コネクタプラグ２；７０を正規のアダプタ２９に対してラッチするためのラッチ部２６を主コネクタハウジング１６の上面側にのみ設けたが、ラッチ部２６を主コネクタハウジング１６の下面側にも設けてもよい。この場合には、コネクタ結合補助部材４１のハウジング４２の下面側にも段状部４３を設けるようにする。
【００５４】
さらに、上記実施形態の光コネクタ１は単心コネクタであるが、本発明は、複数本の光ファイバを保持するフェルールを有する多心コネクタにも適用可能である。
【図面の簡単な説明】
【００５５】
【図１】本発明に係わる光コネクタの一実施形態の一部であるコネクタプラグを示す垂直方向断面図である。
【図２】図１に示すコネクタプラグの水平方向断面図である。
【図３】図１に示すコネクタプラグの裏面図である。
【図４】図１に示すコネクタプラグを正規のアダプタに嵌合させる様子を示す垂直方向断面図である。
【図５】図１に示すコネクタプラグを正規のアダプタに嵌合させる様子を示す水平方向断面図である。
【図６】本発明に係わる光コネクタの一実施形態の他の一部であるコネクタ結合補助部材を示す側面図である。
【図７】図６に示すコネクタ結合補助部材の平面図である。
【図８】図６に示すコネクタ結合補助部材に図１に示すコネクタプラグが組み込まれた状態の光コネクタを示す垂直方向断面図である。
【図９】図８に示す光コネクタの水平方向断面図である。
【図１０】図８に示す光コネクタの正面図である。
【図１１】図８〜図１０に示す光コネクタのコネクタプラグを別タイプのアダプタに嵌合させる様子を示す垂直方向断面図である。
【図１２】図８〜図１０に示す光コネクタのコネクタプラグを別タイプのアダプタに嵌合させる様子を示す水平方向断面図である。
【図１３】本発明に係わる光コネクタの他の実施形態の一部であるコネクタプラグを示す垂直方向断面図である。
【図１４】図１３に示すコネクタプラグの水平方向断面図である。
【図１５】図１３に示すコネクタプラグのフェルールが後退した状態を示す垂直方向断面図である。
【符号の説明】
【００５６】
１…光コネクタ、２…コネクタプラグ、３…フェルール、４…メカニカルスプライス、５…短尺光ファイバ、１０…光ケーブル、１１…外皮、１２…光ファイバ、１６…主コネクタハウジング、２１…係止受け用溝部（係止部）、２２…係止片、２５…ストッパ、２６…ラッチ部、２７…後コネクタハウジング、２８…ケーブル固定部材、２９…アダプタ、４１…コネクタ結合補助部材、４２…ハウジング、４３…段状部、４４…窓部（係止手段）、４９…アダプタ、７０…コネクタプラグ、７１…後コネクタハウジング。
【図１】
2005140989.tif 000003
【図２】
2005140989.tif 000004
【図３】
2005140989.tif 000005
【図４】
2005140989.tif 000006
【図５】
2005140989.tif 000007
【図６】
2005140989.tif 000008
【図７】
2005140989.tif 000009
【図８】
2005140989.tif 000010
【図９】
2005140989.tif 000011
【図１０】
2005140989.tif 000012
【図１１】
2005140989.tif 000013
【図１２】
2005140989.tif 000014
【図１３】
2005140989.tif 000015
【図１４】
2005140989.tif 000016
【図１５】
2005140989.tif 000017